(57)【要約】【課題】ガスボンベを内蔵するガス点火栓制御ボックス内のようなガスの異臭に気付きにくい箇所において、ガス漏れが発生した場合に、ガス漏れを検知し、ガス漏れを警告する。【解決手段】ガスボンベ１１を内蔵するガス点火栓制御ボックス３と、該ガス点火栓制御ボックスの上部に配設され、前記ガスボンベ１１からのガスが供給されて燃焼されるフレーム筒６とから成り、該フレーム筒６から発生するフレーム（炎）により歯科治療に用いる部材を熱処理する。ガス点火栓制御ボックス３は、該制御ボックス内下部にガスセンサ２０を具備し、該制御ボックス内におけるガス漏れを検知し、該制御ボックス外の警告装置にてガス漏れを知らせ、更には、ガス栓１４を閉じる。【選択図】図１
2010104589.tif 000002
【特許請求の範囲】
【請求項１】
ガスボンベを内蔵するガス点火栓制御ボックスと、該ガス点火栓制御ボックスの上部に配設され、前記ガスボンベから供給されるガスを燃焼させるフレーム筒とから成り、該フレーム筒から発生するフレームにより歯科治療に用いる部材を熱処理するガスバーナにおいて、前記ガス点火栓制御ボックスは、該制御ボックス内下部にガスセンサを具備し、該制御ボックス内におけるガス漏れを検知し、該制御ボックス外の警報装置にてガス漏れを知らせるようにしたことを特徴とするガスバーナ。
【請求項２】
前記ガスセンサがガス漏れを検知した時は、前記ガスボンベからのガスの供給を停止させるようにしたことを特徴とする請求項１に記載の歯科用ガスバーナ。
【請求項３】
前記ガス点火栓制御ボックスの筐体外部表面にガスセンサを具備し、該ガスセンサにて前記制御ボックス外におけるガス漏れをも検知し、警告を発生するようにしたことを特徴とする請求項１又は２に記載の歯科用ガスバーナ。
【発明の詳細な説明】
【技術分野】
【０００１】
本発明は、歯科用ガスバーナ、より詳細には、ガスボンベを内蔵するガス点火栓制御ボックス内のような、ガスの異臭に気付きにくい箇所において、ガス漏れが発生した場合に、ガス漏れを検知し、ガス漏れを警告するようにした歯科用ガスバーナに関する。
【背景技術】
【０００２】
図２は、本発明が適用されるガスバーナの一例を説明するための概略図で、図中、１はフレーム支持管（ガス供給流路）、２はガス点火栓支柱、３はガス点火栓制御ボックス、４はカバー、５はプロテクターで、同図は、カバー４を開いた状態を示している。このガスバーナは、周知のように、ガス点火栓制御ボックス３内に、前記フレーム支持管１に連通するガスボンベが収納されており、ガス点火・消火スイッチ９を押すことにより、フレーム筒支持管１の下方に設けられている弁を開き、該弁を通して噴出されたガスがフレーム筒支持管１内を上昇し、該フレーム支持管１の上部に設けられたフレーム（flame）筒６で燃焼し、前記ガス点火・消火スイッチ９を再度押すことによって前記弁が閉じ、ガスの燃焼を消すようになっている。なお、ガスを燃焼させるためには、前記ガス点火・消火スイッチ９を押して、前記弁を開くとともに点火栓７とフレーム筒６の略中心部に設けられた放電端子８との間に火花放電を発生させ、フレーム筒６より放出されるガスを点火させる。
【０００３】
上述のごときガスボンベに収納されているガス点火栓制御ボックス３内においてガス漏れが発生した場合、ガスが外部に漏れにくいため、ガスの異臭に気付きにくく、ガス漏れに気付くのが遅れ、危険であった。
【発明の開示】
【発明が解決しようとする課題】
【０００４】
本発明は、上述のごとき実情に鑑みてなされたもので、ガス点火栓制御ボックス内のような外部と遮断された空間内で、万が一ガス漏れが生じてもすぐにガスセンサでガス漏れを検知して警告音と、警告表示等にて使用者に知らせることにより、ガス漏れによる二次災害の発生を防ぎ、また、ガス漏れ警告に使用者が気付かない場合でも、ガスの供給をストップさせ、ガス漏れによる二次災害の発生を防ぐようにしたものである。
【課題を解決するための手段】
【０００５】
請求項１の発明は、ガスボンベを内蔵するガス点火栓制御ボックスと、該ガス点火栓制御ボックスの上部に配設され、前記ガスボンベから供給されるガスを燃焼させるフレーム筒とから成り、該フレーム筒から発生するフレームにより歯科治療に用いる部材を熱処理するガスバーナにおいて、前記ガス点火栓制御ボックスは、該制御ボックス内下部にガスセンサを具備し、該制御ボックス内におけるガス漏れを検知し、該制御ボックス外の警報装置にてガス漏れを知らせるようにしたことを特徴としたものである。
【０００６】
請求項２の発明は、請求項１の発明において、前記ガスセンサがガス漏れを検知した時は、前記ガスボンベからのガスの供給を停止させるようにしたことを特徴としたものである。
【０００７】
請求項３の発明は、請求項１又は２の発明において、前記ガス点火栓制御ボックスの筐体外部表面にガスセンサを具備し、該ガスセンサにて前記制御ボックス外におけるガス漏れをも検知し、警告を発生するようにしたことを特徴としたものである。
【発明の効果】
【０００８】
本発明によると、ガス点火栓制御ボックス内のような外部と遮断された空間内で、万が一ガス漏れが生じてもすぐにガスセンサでガス漏れを検知して警告音や警告表示等にて使用者に知らせることにより、ガス漏れによる二次災害の発生を防ぎ、また、ガス漏れ警告に使用者が気付かない場合でも、ガスの供給をストップさせ、ガス漏れによる二次災害の発生を防ぐようにしたものである。
【発明を実施するための最良の形態】
【０００９】
図１は、本発明によるガスバーナの一実施例を説明するための要部構成図で、図中、３は、図２に示したガス点火栓制御ボックス３に相当するボックスで、この点火栓制御ボックス３内にガスボンベ１１が納入されており、本発明は、このガス点火栓制御ボックス３内に配設されているガスボンベ１１又はガス供給ホース１３等からガス漏れが生じた時に、該制御ボックス３内の下方に設けられたガスセンサ２０により、ガス漏れを検知し、例えば、該ガス点火栓制御ボックスの上部テーブル１０に設けられたスピーカ、ＬＥＤ或いはその他周知の警報手段２１によってガス漏れを警告し、更には、ガス供給ホース１３の経路中に設けられているガス栓（弁）１４を閉じてガスの供給をストップさせるようにしたものである。
【００１０】
ガスボンベ１１は、ガスボンベ収納ボックス１２に交換可能に装着されるようになっており、ガスボンベ交換時、ガスボンベ収納ボックス１２を、図中に点線にて示すように、点火栓制御ボックス３より前方に引き出して、ガスボンベ１１を交換する。ガスボンベ１１内のガスが、ガス供給チューブ１３、及び、該ガス供給チューブ１３の径路中に設けられたガス栓１４を通してフレーム筒６に供給されるようになっており、前述のガス点火・消化スイッチ９をオン・オフすることによって、燃焼、消火される。
【００１１】
ガス点火栓制御ボックス３内には、ガスの点火、消火を制御する電子回路等が収納されており、外部からの湿気や塵埃等の侵入を避けるため、常時は、外気と遮断されている。そのため、ガスボンベ１１やガス配給チューブ１３等からガス漏れが発生した場合、ガスの異臭に気付くのが遅れ或いは気付かない恐れがあった。
【００１２】
本発明は、上述のごときガスボンベ内蔵のガス点火栓制御ボックス内におけるガス漏れを、該制御ボックス３内の下方に配設したガスセンサ２０によって検出し、例えば、上部の操作パネル部１０に設けられた表示手段（例えば、ＬＥＤ）によって表示し、警告をし、更には、ガス供給路１３中に設けられているガス栓（弁）１４を閉じて、ガスの供給をストップさせるようにしたものである。
【００１３】
２０’は、ガス点火栓制御ボックス３の筐体下部外表面に設けられたガスセンサ、２１’は、該ガスセンサ２０’によってガスが検出された時に点灯する、例えば、ＬＥＤで、これらガス検知、表示手段、２０’、２１’をガスバーナと一体的に併設しておくことにより、診療室内におけるガス漏れをも検知、表示することができる。特に、ガスバーナは、移動式（カート式）であるため、必要により、診療室内を移動するため、無意識のうちに診療室内の予期しない場所でのガス漏れを検知することができる。
【図面の簡単な説明】
【００１４】
【図１】本発明による歯科用ガスバーナにおけるガス漏れ検知の一例を説明するための要部概略構成図である。
【図２】本発明が適用される歯科用ガスバーナ（一部に発明が適用されている）の例を説明するための要部概略構成図である。
【符号の説明】
【００１５】
１…ガス点火栓制御ボックス、６…フレーム筒、１１…ガスボンベ、１２…ガスボンベ収納ボックス、１３…ガス供給チューブ、１４…ガス栓（ガス遮断弁）、２０…ガス点火栓制御ボックス３内に配設されたガスセンサ、２０’…ガス点火栓制御ボックス３外に配設されたガスセンサ、２１，２１’…ガス漏れ表示手段。
【図１】
2010104589.tif 000003
【図２】
2010104589.tif 000004